(57)【要約】【課題】集塵装置の掃除機本体への誤装着を抑制する電気掃除機を提供する。【解決手段】吸引風を発生させる電動送風機（図示せず）を内蔵する掃除機本体１と、掃除機本体１に着脱自在に取り付けられる集塵装置６と、集塵装置６の上部に回動自在に軸支されたハンドル３８と、ハンドル３８の端部に設けられた第３の爪４１と、第３の爪４１と係合すると共に掃除機本体１に設けられた凹部７ａとを備え、第３の爪４１と凹部７ａが係合しないとき接触する掃除機本体１の面あるいは第３の爪４１の面の内少なくとも一方に、集塵装置６を正面から見たとき、集塵装置６が左右非対称に傾斜するように配置された凸部４２を有するもので、集塵装置６を正面から見たとき、集塵装置６が左右非対称に傾いているため、集塵装置６が掃除機本体１に非固定状態であることが明瞭になり、誤使用を抑制することができる。【選択図】図６
2015058021.tif 000002
【特許請求の範囲】
【請求項１】
吸引風を発生させる電動送風機を内蔵する掃除機本体と、前記掃除機本体に着脱自在に取り付けられる集塵装置と、前記集塵装置の上部に回動自在に軸支されたハンドルと、前記ハンドルの端部に設けられた係合部と、前記係合部と係合すると共に前記掃除機本体に設けられた被係合部とを備え、前記係合部と前記被係合部が係合しないとき接触する前記掃除機本体の面あるいは前記係合部の面の内少なくとも一方に、前記集塵装置を正面から見たとき、前記集塵装置が左右非対称に傾斜するように配置された凸部を有する電気掃除機。
【請求項２】
凸部は、被係合部と係合部が係合しないとき接触する掃除機本体の面と前記係合部の面の内、前記係合部の面に設けられている請求項１に記載の電気掃除機。
【請求項３】
凸部は、掃除機本体に設けられた本体ハンドルの内周に入り込むように設けられた請求項１または２に記載の電気掃除機。
【請求項４】
凸部に、被係合部と係合部が係合しないとき接触する掃除機本体の面を摺動しやすいように傾斜、または丸みを設けた請求項１〜３のいずれか１項に記載の電気掃除機。
【請求項５】
集塵装置は、略４５度傾いた状態で掃除機本体に取り付けられるようにした請求項１〜４のいずれか１項に記載の電気掃除機。
【発明の詳細な説明】
【技術分野】
【０００１】
本発明は、電気掃除機に関するもので、特に、サイクロン式の電気掃除機に関するものである。
【背景技術】
【０００２】
従来のサイクロン式の電気掃除機においては、集塵装置の上部に回動自在に軸支されたハンドルを備え、ハンドルの端部に係合部が設けられており、ハンドルが倒立状態で集塵装置が掃除機本体に取り付けられるとハンドルが収納状態へと回動し、掃除機本体に設けた被係合部とハンドルの端部の係合部が係合するようにした構成が提案されている（例えば、特許文献１参照）。
【先行技術文献】
【特許文献】
【０００３】
【特許文献１】特開２０１２−５５５００号公報
【発明の概要】
【発明が解決しようとする課題】
【０００４】
しかしながら、前記従来の電気掃除機の構成では、集塵装置が掃除機本体に確実に固定されていない状態と固定状態との見分けがつきづらく、集塵装置が確実に固定されないまま電気掃除機を運転するという誤使用が発生する場合があった。
【０００５】
すなわち、従来の電気掃除機は、集塵装置のハンドルが倒立状態で集塵装置が掃除機本体に取り付けられることを想定しているため、ハンドルが倒立以外の状態で集塵装置が掃除機本体に取り付けられると、掃除機本体に備わった被係合部に前記ハンドル端部に備わった係合部が係合しない状態となり、前記非係合状態が係合状態と外観上似ているため誤使用が発生しやすいという課題があった。
【０００６】
本発明は、前記従来の課題を解決するもので、集塵装置のハンドル端部の係合部と掃除機本体の被係合部が係合した状態と係合していない状態を外観上容易に区別できる電気掃除機を提供することを目的とする。
【課題を解決するための手段】
【０００７】
前記従来の課題を解決するために、本発明の電気掃除機は、吸引風を発生させる電動送風機を内蔵する掃除機本体と、前記掃除機本体に着脱自在に取り付けられる集塵装置と、前記集塵装置の上部に回動自在に軸支されたハンドルと、前記ハンドルの端部に設けられた係合部と、前記係合部と係合すると共に前記掃除機本体に設けられた被係合部とを備え、前記係合部と前記被係合部が係合しないとき接触する前記掃除機本体の面あるいは前記係合部の面の内少なくとも一方に、前記集塵装置を正面から見たとき、前記集塵装置が左右非対称に傾斜するように配置された凸部を有するもので、前記集塵装置を正面から見たとき、前記集塵装置が左右非対称に傾いているため、前記集塵装置が前記掃除機本体に非固定状態であることが明瞭になり、誤使用を抑制することができる。
【発明の効果】
【０００８】
本発明の電気掃除機は、集塵装置のハンドルの端部の係合部と掃除機本体の被係合部とが係合していない状態のとき、前記集塵装置が左右非対称に傾斜する凸部を設けているため、前記集塵装置が掃除機本体に非固定状態であることが明瞭になり、誤使用を抑制できる。
【図面の簡単な説明】
【０００９】
【図１】本発明の実施の形態１における電気掃除機の全体斜視図
【図２】同電気掃除機の掃除機本体の全体断面図
【図３】同電気掃除機の集塵装置の全体断面図
【図４】同電気掃除機の集塵装置のハンドル収納時の全体斜視図
【図５】同集塵装置のハンドル倒立時の全体斜視図
【図６】同掃除機本体の集塵装置誤装着時の全体図
【発明を実施するための形態】
【００１０】
第１の発明は、吸引風を発生させる電動送風機を内蔵する掃除機本体と、前記掃除機本体に着脱自在に取り付けられる集塵装置と、前記集塵装置の上部に回動自在に軸支されたハンドルと、前記ハンドルの端部に設けられた係合部と、前記係合部と係合すると共に前記掃除機本体に設けられた被係合部とを備え、前記係合部と前記被係合部が係合しないとき接触する前記掃除機本体の面あるいは前記係合部の面の内少なくとも一方に、前記集塵装置を正面から見たとき、前記集塵装置が左右非対称に傾斜するように配置された凸部を有するもので、前記集塵装置を正面から見たとき、前記集塵装置が左右非対称に傾いているため、前記集塵装置が前記掃除機本体に非固定状態であることが明瞭になり、誤使用を抑制することができる。
【００１１】
第２の発明は、特に、第１の発明の凸部は、被係合部と係合部が係合しないとき接触する掃除機本体の面と前記係合部の面の内、前記係合部の面に設けられているもので、前記集塵装置を前記掃除機本体に正しく取り付けたとき、前記凸部は前記係合部と共に前記被係合部と係合するため、外観に前記凸部が現れず、美観を保つことができる。
【００１２】
第３の発明は、特に、第１または第２の発明の凸部は、掃除機本体に設けられた本体ハンドルの内周に入り込むように設けられたもので、前記集塵装置を正面から見る方向を軸としたとき、前記軸回りの方向に前記集塵装置が傾斜するため、前記集塵装置が前記掃除機本体に非固定状態であることがより明瞭になり、誤使用を抑制することができる。
【００１３】
第４の発明は、特に、第１〜３のいずれか１つの発明の凸部に、被係合部と係合部が係合しないとき接触する掃除機本体の面を摺動しやすいように傾斜、または丸みを設けたもので、前記凸部は容易に前記本体ハンドルの内周に入り込むことができるため、前記集塵装置を正面から見る方向を軸としたとき、前記軸回りの方向に集塵装置が傾斜しやすくすることができる。
【００１４】
第５の発明は、特に、第１〜４のいずれか１つの発明の集塵装置は、略４５度傾いた状態で掃除機本体に取り付けられるようにしたもので、凸部は自重で本体ハンドルの内周に入り込むため、集塵装置を正面から見る方向を軸としたとき、軸回りの方向に前記集塵装置を自然に傾斜させることができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における電気掃除機の全体斜視図、図２は、同電気掃除機の掃除機本体の全体断面図、図３は、同電気掃除機の集塵装置の全体断面図、図４は、同電気掃除機の集塵装置のハンドル収納時の全体斜視図、図５は、同集塵装置のハンドル倒立時の全体斜視図、図６は、同掃除機本体の集塵装置誤装着時の全体図である。
【００１７】
図１に示すように、本実施の形態における電気掃除機１００は、掃除機本体１と、前記掃除機本体１の前方に設けた吸入口１ａに接続されるホース２と、前記ホース２の先端に設けられた接続パイプ３と、前記接続パイプ３に接続される延長管４と、延長管４の先端に設けられ塵埃を吸引する開口部（図示せず）を有する吸込具５からなり、前記掃除機本体１には、塵埃を吸引する為の吸引風を発生させる電動送風機（図示せず）が内蔵されるとともに、塵埃を集塵する集塵装置６が着脱自在に装着できるようになっている。
【００１８】
図２に示すように、前記掃除機本体１の後部には、吸引風を発生させる電動送風機１０を内蔵する電動送風機室１１と、電源コード巻き取り装置（図示せず）とが配置されている。また、前記掃除機本体１の前部には、塵埃を分離捕集する前記集塵装置６が着脱自在に取り付けられる集塵装置収納部４３が配置されている。さらに、前記掃除機本体１の後方の下部の両側には、１対の走行用の車輪８が回動自在に配置されている。
【００１９】
また、前記掃除機本体１の底面の前方には、同じく走行用のキャスター９が回動自在に配置されている。また、前記掃除機本体１の上部には、使用者が前記掃除機本体１を持ち運ぶ際に保持する本体ハンドル７が設けられている。前記本体ハンドル７は、前記掃除機本体１に前記集塵装置６が取り付けられた状態で、前記集塵装置６の上方に位置するように設けられている。
【００２０】
また、前記本体ハンドル７の前記掃除機本体１側の両端部には、前記集塵装置６が前記掃除機本体１に取り付けられた際に、後述する前記集塵装置６に設けられた係合部である第３の爪４１と係合する被係合部である凹部７ａが設けられている。
【００２１】
前記集塵装置６は、図３〜５に示すように、外郭は吸引した塵埃を捕集する集塵容器１２と、前記集塵容器１２の上面を覆い、前記集塵容器１２に着脱自在に構成された上蓋１３と、前記集塵容器１２の下面を覆い、前記集塵容器１２に回動自在に軸支され底蓋１４とから構成されている。
【００２２】
前記上蓋１３には、持ち運び用のハンドル３８を軸支すると共に、前記集塵容器１２に前記上蓋１３を保持固定する尾錠１５を側面の２箇所に軸支している。そして前記ハンドル３８には、前記第３の爪４１が設けられており、前記第３の爪４１には、前記集塵装置６を前記掃除機本体１に正しく取り付けられていないときに、前記集塵装置６を正面から見ると左右非対称に傾斜する凸部４２が設けられている。また、前記集塵装置６内部に設けている比較的細かい塵埃を捕集する上部フィルタ１６に付着した塵埃を除去する除塵部材１７を操作する操作部材１８を前記上蓋１３の上方に回動自在に設けている。
【００２３】
前記集塵容器１２は、略中央部分の径を他より小さくしている略円筒形状で形成すると共に、前記中央部分には吸引した塵埃を前記集塵容器１２内に導く吸気口１９と、前記底蓋１４の開放時に操作する操作レバー２０を設けている。前記吸気口１９は、前記集塵容器１２の接線方向に向くように形成されている。前記底蓋１４には、前記集塵容器１２との気密性を保持する環状の底蓋パッキン２１を設けている。
【００２４】
前記集塵装置６の内部には、遠心分離した塵埃を前記集塵容器１２の底部に捕集する為の捕集部材２２と、前記捕集部材２２の上方に位置し、捕集した塵埃が底部から舞い上がるのを防止する為の遮蔽部材２３と、塵埃を分離した後の空気を前記集塵容器１２の上方へ導く内筒開口部２４を有する内筒２５と、前記上部フィルタ１６を収納するフィルタ収納部２６とを設け、それぞれは爪嵌合にて保持固定され、前記集塵容器１２と略同心円状に配置している。前記内筒２５はメッシュ状の内筒フィルタ２７で前記内筒開口部２４を覆っている。なお、前記内筒フィルタ２７の代わりに前記内筒開口部２４をメッシュ状の孔として形成してもよい。
【００２５】
前記捕集部材２２の中央には、前記底蓋１４との気密性を保持する中央底パッキン２８を前記底蓋１４に設けている。また、前記フィルタ収納部２６の下面には、前記フィルタ収納部２６と前記集塵容器１２の気密性を保持する環状の収納部パッキン２９を設け、前記上部フィルタ１６の側面上方には、前記上部フィルタ１６と前記フィルタ収納部２６及び前記上蓋１３の気密性を保持する環状のフィルターパッキン３０を設けている。
【００２６】
また、前記上蓋１３内部には、プリーツ状に形成した前記上部フィルタ１６の上方に前記除塵部材１７を前記上部フィルタ１６の吸引風下流側の折部３１の頂点同士を結んだ仮想の面に対し、略垂直方向に摺動自在に設け、前記操作部材１８と前記除塵部材１７を連結する連結部材３２を、前記除塵部材１７と前記上蓋１３を介して前記操作部材１８にネジ３３にて締め付け固定し前記操作部材１８と共に回動自在としている。
【００２７】
また、前記除塵部材１７と前記上蓋１３との間に前記除塵部材１７を前記上部フィルタ１６方向へ付勢するコイルバネ等の弾性体３４を略中央に設け、前記除塵部材１７を前記上部フィルタ１６に当接させている。前記上部フィルタ１６が無い状態での前記除塵部材１７の摺動範囲は、正規に組み立てられた集塵装置６内において、前記上部フィルタ１６と当接している状態での摺動範囲より大きくなるような構成としている。
【００２８】
前記連結部材３２には、前記除塵部材１７を前記上部フィルタ１６から離間させる方向に誘導する傾斜面を有する連結部材凸部３５を周方向に複数個所（ここでは１２箇所）並べて形成し、前記除塵部材１７には前記連結部材凸部３５と当接する山部３６を前記連結部材凸部３５より少ない個数（ここでは３箇所）で均等な間隔を設けて形成している。前記上蓋１３の後方には、前記上部フィルタ１６の上方の空間と電動送風機１０を連通する吸引通路３７を形成している。
【００２９】
前記上蓋１３には、前記ハンドル３８の収納状態で保持固定させる第１の爪３９と、倒立状態で保持固定させる第２の爪４０が設けられている。さらに、前記集塵容器１２と前記底蓋１４と前記捕集部材２２は少なくともその一部が可視性を有する材料にて形成している。
【００３０】
以上のように構成された本実施の形態における電気掃除機について、以下その動作、作用を説明する。
【００３１】
前記吸込具５から吸い込まれた塵埃を含んだ空気は、前記延長管４、前記ホース２を経由して、前記吸気口１９から前記集塵装置６に吸い込まれる。前記吸気口１９は前記集塵容器１２の接線方向に向くように形成されているので、吸い込まれた空気は前記集塵容器１２の内周面に沿って旋回し、塵埃と空気とに遠心分離される。分離された塵埃は、前記集塵容器１２の下方、或いは前記捕集部材２２と前記底蓋１４の間の空間に蓄積していき、塵埃を分離された空気は、前記内筒開口部２４を通過し、前記上部フィルタ１６へ流入する。
【００３２】
前記上部フィルタ１６へ流入した空気にも僅かながら分離しきれなかった非常に細かい塵埃が含まれており、前記上部フィルタ１６の上流側の面にてその塵埃を捕集している。前記上部フィルタ１６を通過した塵埃を含まない空気は、前記上蓋１３に形成した前記吸引通路３７を通って、前記電動送風機１０に吸引され、掃除機本体１の外に排気される。
【００３３】
前記上部フィルタ１６で捕集された塵埃を除去するには、前記操作部材１８を回動することにより、前記操作部材１８とネジ３３で固定されている前記連結部材３２及び前記連結部材凸部３５も回動し、前記連結部材凸部３５の傾斜面に前記除塵部材１７に形成した
前記山部３６が当接し傾斜面に沿って乗り上げるように動作することで、前記除塵部材１７は前記弾性体３４の付勢に反して前記上部フィルタ１６から離間する方向へ摺動し、前記山部３６が前記連結部材凸部３５を乗り越えると前記弾性体３４の付勢により前記上部フィルタ１６に当接し、衝撃を与えることで前記上部フィルタ１６に付着した塵埃を除去することができる。ここで除去された塵埃は、前記内筒２５の内側を通り前記捕集部材２２の内部に落下し蓄積される。
【００３４】
次に、前記集塵装置６内に蓄積した塵埃を捨てる場合、使用者が前記集塵装置６の前記上蓋１３に設けられた前記ハンドル３８を上方へ回動させると、前記ハンドル３８の端部に設けられた前記第３の爪４１と前記本体ハンドル７に設けられた前記凹部７ａとの嵌合が解除され、前記集塵装置６を前記掃除機本体１から取り外すことができる。そして、使用者は、前記ハンドル３８を前記上蓋１３の上面に対して９０度以上倒立させ、前記第２の爪により前記ハンドル３８を保持固定させる。この状態で前記操作レバー２０を下方に摺動することにより、前記集塵容器１２の係止が解除され、前記底蓋１４が開放することで、前記集塵容器１２の下方や前記捕集部材２２の内部に蓄積した塵埃は集塵装置６の外部へ排出される。
【００３５】
次に、前記集塵装置６を前記掃除機本体１に装着する場合、使用者は前記ハンドル３８が倒立状態で固定されたままの状態で、前記集塵装置６を前記掃除機本体１へと取り付ける。この状態で使用者が前記ハンドル３８を下方へと押し下げ、前記第３の爪４１と前記凹部７ａとを嵌合させることで、前記集塵装置６が前記掃除機本体１に取り付けられる。
【００３６】
ここで、使用者が前記ハンドル３８が倒立状態で固定されていない状態で、前記集塵装置６を前記掃除機本体１へと取り付けた場合、前記凸部４２が前記本体ハンドル７の表面を摺動し、前記凸部４２が前記本体ハンドル７内側に入り込み、前記集塵装置６を正面から見ると前記集塵装置６が左右非対称に傾斜する。
【００３７】
以上のように、本実施の形態においては、使用者が前記集塵装置６を前記掃除機本体１に前記ハンドル３８が倒立状態で固定されていない状態で取り付けたとき、前記集塵装置６が左右非対称に傾斜することで、前記集塵装置６が前記掃除機本体１に正しく取り付けられていないことを容易に視認することができ、誤使用を抑制することができる。
【００３８】
また、本実施の形態では、集塵装置６が略４５度傾いた状態で掃除機本体１に取り付けられるようにしているので、凸部４２は自重で本体ハンドル７の内周に入り込むため、集塵装置６を正面から見る方向を軸としたとき、軸回りの方向に前記集塵装置６を自然に傾斜させることができ、集塵装置６が掃除機本体１に正しく取り付けられていないことを容易に知ることができる。
【００３９】
また、凸部４２に、本体ハンドル７の凹部７ａと第３の爪４１が係合しないとき接触する掃除機本体１や本体ハンドル７の面を摺動しやすいように傾斜、または丸みを設けるようにすれば、凸部４２は容易に前記本体ハンドル７の内周に入り込むことができるため、前記集塵装置６を正面から見る方向を軸としたとき、前記軸回りの方向に集塵装置６が傾斜しやすくすることができる。
【産業上の利用可能性】
【００４０】
以上のように、本発明にかかる電気掃除機は、集塵装置のハンドルに設けた凸部により、集塵装置誤装着時に集塵装置の傾斜から、誤装着を容易に視認することができ、集塵装置の誤装着による誤使用を抑制することが可能となるので、使い勝手を向上でき、家庭用や業務用の電気掃除機等の用途にも適用できる。
【符号の説明】
【００４１】
１  掃除機本体
２  ホース
３  接続パイプ
４  延長管
５  吸込具
６  集塵装置
７  本体ハンドル
７ａ  凹部（被係合部）
８  車輪
９  キャスター
１０  電動送風機
１１  電動送風機室
１２  集塵容器
１３  上蓋
１４  底蓋
１５  尾錠
１６  上部フィルタ
１７  除塵部材
１８  操作部材
１９  吸気口
２０  操作レバー
２１  底蓋パッキン
２２  捕集部材
２３  遮蔽部材
２４  内筒開口部
２５  内筒
２６  フィルタ収納部
２７  内筒フィルタ
２８  中央底パッキン
２９  収納部パッキン
３０  フィルターパッキン
３１  折部
３２  連結部材
３３  ネジ
３４  弾性体
３５  連結部材凸部
３６  山部
３７  吸引通路
３８  ハンドル
３９  第１の爪
４０  第２の爪
４１  第３の爪（係合部）
４２  凸部
４３  集塵装置収納部
【図１】
2015058021.tif 000003
【図２】
2015058021.tif 000004
【図３】
2015058021.tif 000005
【図４】
2015058021.tif 000006
【図５】
2015058021.tif 000007
【図６】
2015058021.tif 000008